(57)【要約】【課題】ランスにコネクタ端子を係止するための端子係止部および当該端子係止部のコネクタ端子への係止が冶具によって解除される冶具当て部が形成されたコネクタにおいて、ランスの強度またコネクタ端子に対する係止能力を損なうことなくランスを低背化すること。【解決手段】コネクタ１０は、長尺なコネクタ端子１００が一方向に挿入されて当該コネクタ端子を収容する収容穴２２１と、収容穴を形成する壁面２２１Ａ、２２１Ｂの一つに沿い、コネクタ端子の挿入方向Ｘに向かって片持ち状に前記収容穴内に突出するランス２２９と、を備えたハウジング２２０を含むコネクタであって、ランス２２９は、先端部に挿入方向Ｘに対して略垂直な当接面２９３Ａを有する端子係止部２９３と、当該端子係止部の挿入方向Ｘに直交する幅方向Ｙの一側から挿入方向Ｘに向けてさらに延出した冶具当て部２９４とを備える【選択図】図１
2019220288.tif 000002
【特許請求の範囲】
【請求項１】
長尺なコネクタ端子が一方向に挿入されて当該コネクタ端子を収容する収容穴と、前記収容穴を形成する壁面の一つに沿い、前記コネクタ端子の挿入方向に向かって片持ち状に前記収容穴内に突出するランスと、を備えたハウジングを含むコネクタであって、
前記ランスは、先端部に前記挿入方向に対して略垂直な当接面を有する端子係止部と、当該端子係止部の前記挿入方向に直交する幅方向一側から前記挿入方向に向けてさらに延出した冶具当て部とを備えるコネクタ。
【請求項２】
前記冶具当て部の、前記挿入方向に対して垂直である高さ方向における前記コネクタ端子に近接する端面が、前記端子係止部の前記高さ方向における前記コネクタ端子に近接する端面より、前記コネクタ端子から遠い位置にある形状となっている請求項１記載のコネクタ。
【請求項３】
前記冶具当て部が、前記挿入方向における先端部から前記高さ方向における前記コネクタ端子に近接する端面に向けて所定角度のテーパ形状となっている請求項２記載のコネクタ。
【請求項４】
挿入方向に沿って延在する少なくとも一つの平面と、当該平面に外側に向けて突出する係止突起とを有する長尺なコネクタ端子と、
前記コネクタ端子が一方向に挿入されて当該コネクタ端子を収容する収容穴と、前記収容穴を形成する壁面の一つであり、かつ前記コネクタ端子の前記平面に対向する壁面に沿い、前記コネクタ端子の挿入方向に向かって片持ち状に前記収容穴内に突出するランスと、を備えたハウジングと、を含むコネクタであって、
前記ランスは、先端部に前記挿入方向に対して略垂直な当接面を有する端子係止部と、当該端子係止部の前記挿入方向に直交する幅方向側から前記挿入方向に向けてさらに突出した冶具当て部とを備え、
前記端子係止部は、前記コネクタ端子が前記収容穴に収容された際に、前記係止突起を係止し、前記コネクタ端子の反挿入方向への移動を阻止し、
前記冶具当て部は、冶具により前記コネクタ端子の前記平面から離れる方向に押圧されることで、前記端子係止部の前記係止突起に対する係止を解除させるコネクタ。
【発明の詳細な説明】
【技術分野】
【０００１】
本発明は、コネクタ、特に、コネクタハウジング内に挿入されたコネクタ端子を取り外し可能に係止し、かつコネクタ端子の解放を容易にするランスを備えたコネクタに関する。
【背景技術】
【０００２】
従来、コネクタハウジング内に挿入されたコネクタ端子を取り外し可能に係止するランスを備えたコネクタが知られている。例えば下記特許文献１には、コネクタハウジングにコネクタ端子を収容する収容穴とこの収容穴に近接した位置にあってコネクタ端子を係止する係止手段（ランス）とが形成されたコネクタが開示されている。ランスは所定肉厚および細幅の板状片とその表面に所定高さで形成された係止爪を含み、この係止爪がコネクタ端子に形成された係止部に係止され、コネクタ端子を抜け止めしている。係止爪を係止部から解除する場合には、ランスの先端とコネクタ端子との間に冶具を挿入し、ランスをコネクタ端子から離れる方向に移動させる。
【先行技術文献】
【特許文献】
【０００３】
【特許文献１】特開２００６−２６０８６７号公報
【発明の概要】
【発明が解決しようとする課題】
【０００４】
しかしながら、上記特許文献１記載のコネクタにおいては、コネクタ端子からランスを解除するために冶具が挿入される冶具当て部は、係止爪全体の上方あるいは下方に位置しており、結果としてランスの肉厚を大きくとらなければならなかった。また、ランスの肉厚を小さくすると、コネクタ端子が係止される係止爪の係止代が小さくなったり、ランスの強度が低下したりする恐れがある。
【０００５】
本発明の目的は、ランスにコネクタ端子を係止するための端子係止部および当該端子係止部のコネクタ端子への係止が冶具によって解除される冶具当て部が形成されたコネクタにおいて、ランスの強度またコネクタ端子に対する係止能力を損なうことなくランスを低背化することである。
【課題を解決するための手段】
【０００６】
本発明の第１の態様は、
長尺なコネクタ端子が一方向に挿入されて当該コネクタ端子を収容する収容穴と、前記収容穴を形成する壁面の一つに沿い、前記コネクタ端子の挿入方向に向かって片持ち状に前記収容穴内に突出するランスと、を備えたハウジングを含むコネクタであって、
前記ランスは、先端部に前記挿入方向に対して略垂直な当接面を有する端子係止部と、当該端子係止部の前記挿入方向に直交する幅方向一側から前記挿入方向に向けてさらに延出した冶具当て部とを備えるコネクタであることを特徴とする。
【０００７】
本発明の第２の態様は、上記態様において、前記冶具当て部の、前記挿入方向に対して垂直である高さ方向における前記コネクタ端子に近接する端面が、前記端子係止部の前記高さ方向における前記コネクタ端子に近接する端面より、前記コネクタ端子から遠い位置にある形状となっていることを特徴とする。
【０００８】
本発明の第３の態様は、上記態様において、前記冶具当て部が、前記挿入方向における先端部から前記高さ方向における前記コネクタ端子に近接する端面に向けて所定角度のテーパ形状となっていることを特徴とする。
【０００９】
本発明の第４の態様は、
挿入方向に沿って延在する少なくとも一つの平面と、当該平面に外側に向けて突出する係止突起とを有する長尺なコネクタ端子と、
前記コネクタ端子が一方向に挿入されて当該コネクタ端子を収容する収容穴と、前記収容穴を形成する壁面の一つであり、かつ前記コネクタ端子の前記平面に対向する壁面に沿い、前記コネクタ端子の挿入方向に向かって片持ち状に前記収容穴内に突出するランスと、を備えたハウジングと、を含むコネクタであって、
前記ランスは、先端部に前記挿入方向に対して略垂直な当接面を有する端子係止部と、当該端子係止部の前記挿入方向に直交する幅方向側から前記挿入方向に向けてさらに突出した冶具当て部とを備え、
前記端子係止部は、前記コネクタ端子が前記収容穴に収容された際に、前記係止突起を係止し、前記コネクタ端子の反挿入方向への移動を阻止し、
前記冶具当て部は、冶具により前記コネクタ端子の前記平面から離れる方向に押圧されることで、前記端子係止部の前記係止突起に対する係止を解除させるコネクタであることを特徴とする。
【発明の効果】
【００１０】
上記本発明の第１の態様によれば、ランスの強度またコネクタ端子に対する係止能力を損なうことなく低背化することが可能となる。
【００１１】
上記本発明の第２の態様によれば、冶具当て部を冶具により操作しやすくなる。
【００１２】
上記本発明の第３の態様によれば、冶具当て部に冶具が挿入しやすくなる。
【００１３】
上記本発明の第４の態様によれば、ランスの強度またコネクタ端子に対する係止能力を損なうことなく低背化することが可能となる。
【図面の簡単な説明】
【００１４】
【図１】本実施形態のコネクタ１０の分解斜視図である。
【図２】図２（Ａ）は、本実施形態におけるコネクタ１０のコネクタ端子１００の斜視図、図２（Ｂ）は図２（Ａ）のコネクタ端子１００の上面図、図２（Ｃ）は図２（Ａ）のコネクタ端子１００を左側からみた場合の左側面図、図２（Ｄ）は図２（Ａ）のコネクタ端子１００の底面図、図２（Ｅ）は図２（Ａ）のコネクタ端子１００の正面図、図２（Ｆ）は、図２（Ｅ）におけるＩＩＦ−ＩＩＦ線断面図である。
【図３】図３（Ａ）は、本実施形態のコネクタ１０のハウジング２００の斜視図であり、図３（Ｂ）は、図３（Ａ）のハウジング２００をＸ−Ｚ平面において切断した場合の断面図であり、図３（Ｃ）は、図３（Ａ）のハウジング２００をＸ−Ｚ平面において切断し、左側から見た場合の斜視図である。
【図４】図４（Ａ）は、図３（Ｂ）のＩＶＡ部分の部分拡大図であり、図４（Ｂ）は、図３（Ｃ）のＩＶＢ部分の部分拡大図である。
【図５】図５（Ａ）は、本実施形態のコネクタ１０のリテーナ３００の斜視図、図５（Ｂ）は、図５（Ａ）のリテーナ３００の正面図である。
【図６】図６は、本実施形態のコネクタ１０の防水シール４００の斜視図である。
【図７】図７（Ａ）は、コネクタ端子１００のボックス部１１０がボックス部収容路２２１に部分的に挿入されたときの図３（Ｃ）に対応する断面斜視図、図７（Ｂ）は、図７（Ａ）のＶＩＩＢ部分の部分拡大図である。
【図８】図８（Ａ）は、コネクタ端子１００のボックス部１１０がボックス部収容路２２１に完全に挿入されたときの図３（Ｃ）に対応する断面斜視図、図８（Ｂ）は、図８（Ａ）のＶＩＩＩＢ部分の部分拡大図である。
【図９】図９（Ａ）は、専用冶具５００を間隙Ｓに挿入した場合の図８（Ａ）に対応する断面斜視図、図９（Ｂ）は、図９（Ａ）のＩＸＢ部分の部分拡大図である。
【図１０】図１０（Ａ）は、工具６００を間隙Ｓに挿入した状態の図８（Ａ）に対応する断面斜視図、図１０（Ｂ）は図１０（Ａ）のＸＢ部分の部分拡大図である。
【図１１】図１１は、上側ボックス部収容路２２１Ｕと下側ボックス部収容路２２１Ｌとの間に保護壁２２１Ｐが設けられた場合の、ハウジング２００の拡大断面斜視図である。
【発明を実施するための形態】
【００１５】
以下、本実施形態のコネクタ１０を、図面を参照して説明する。なお、以下に説明する実施形態は、本発明のコネクタ１０の一例を説明するものであって、本発明をこのコネクタに限定することを意図するものではなく、特許請求の範囲に記載された他の形態のコネクタにも等しく適用されるべきものである。
【００１６】
図１は、コネクタ１０の分解斜視図である。図１に示すように、コネクタ１０は、コネクタ端子１００、ハウジング２００、リテーナ３００、防水シール４００を備える。なお、以下の説明において、コネクタ端子１００が延在する方向、つまり、コネクタ端子１００をハウジング２００に挿入する方向を挿入方向Ｘと呼び、挿入方向Ｘに直交し、図１において紙面奥に向かう方向を幅方向Ｙと呼び、挿入方向Ｘおよび幅方向Ｙの両方に直交する方向を高さ方向Ｚと呼んで説明することとする。また、以下の説明においては、挿入方向Ｘと反対の方向、つまりコネクタ端子１００を引き抜く方向を抜去方向と呼ぶこととする。さらに、抜去方向に見た場合、つまり、コネクタ１０と接続される相手方コネクタの挿入方向から見た場合に（図１において紙面右側から見た場合に）、上側を上方向、下側を下方向、左側を左方向（図１の紙面手前方向）、右側（図１の紙面奥方向）を右方向とみなして説明する。
【００１７】
まず、コネクタ端子１００について、図２を参照して説明する。なお、図２（Ａ）は、本実施形態におけるコネクタ１０のコネクタ端子１００の斜視図、図２（Ｂ）は図２（Ａ）のコネクタ端子１００の上面図、図２（Ｃ）は図２（Ａ）のコネクタ端子１００を左側からみた場合の左側面図、図２（Ｄ）は図２（Ａ）のコネクタ端子１００の底面図、図２（Ｅ）は図２（Ａ）のコネクタ端子１００の正面図、図２（Ｆ）は、図２（Ｅ）におけるＩＩＦ−ＩＩＦ線断面図である。
【００１８】
コネクタ端子１００は、一枚の金属平板を打ち抜いた後に折り曲げて形成される。コネクタ端子１００は、相手方コネクタのコンタクト（図示せず）を内部に受容するための、断面外形状が少なくとも一部分において上下非対称形状のボックス部１１０と、導線１８０を把持する圧着部１２０と、ボックス部１１０と圧着部１２０とを接続し、断面形状がボックス部１１０の断面形状よりも小さな（あるいは低背な）移行部１３０と、を有する。なお、これら圧着部１２０および移行部１３０は、コネクタ端子１００のボックス部１１０の挿入方向後部に形成される。
【００１９】
ボックス部１１０は、上板１１１、底板１１２、左側板１１３、右側板１１４を含み、これら上板１１１、底板１１２、左側板１１３、右側板１１４が、内部に相手方コネクタのコンタクトを収容するためのコンタクト挿入孔１１５を形成する筒状かつ箱型の形状をなしている。このボックス部１１０の、挿入方向Ｘまたは抜去方向に直交する平面における断面形状は、高さをＨboxとする略長方形である。さらに、ボックス部１１０を構成する一つの面に外側に向けて突出する係止突起が設けられる。なお、本実施形態においては、上板１１１の上面に上方に向けて突出する係止突起１１６が形成されている。
【００２０】
対照的に、係止突起１１６が設けられた面に対向する面、本実施形態においては底板１１２の下面１１２ａは平坦な形状とされる。したがって、ボックス部１１０は、少なくとも係止突起１１６が形成された部位における断面外形状が、上下非対称形状となっている。ここで、底板１１２の下面１１２ａから係止突起１１６の先端までの高さをＨprotrusionとする。さらに、ボックス部１１０の上板１１１の、係止突起１１６の挿入方向Ｘにおける後方には、抜去方向に細長い上面開口１１９が形成される。上面開口１１９の幅方向Ｙの幅は、少なくとも、後述するランス２２９の端子係止部２９３の幅よりも大きくされる。
【００２１】
底板１１２の上面１１２ｂには、コンタクト挿入孔１１５内部において、後方かつ上方に向けて延びた接触片１１７が形成される。この接触片１１７は、相手方コネクタのコンタクトがコンタクト挿入孔１１５内に挿入された際に、相手方コネクタのコンタクトの下面に接触し、電気的な接続が可能となる。
【００２２】
圧着部１２０は、導線１８０の被覆部を把持する被覆把持部１２１と、導線１８０の導体部分を把持する導体把持部１２２を有する。なお、本実施形態においては、導線１８０の被覆の周囲には導線用防水シール１９０が取り付けられており、被覆把持部１２１はこの導線用防水シール１９０の周囲を包囲するように圧着されている。導体把持部１２２は、底板１２２ａと、そこから左右両側において上方に延びた把持片１２２ｂ、１２２ｃを備える。導線１８０の導体部分は、把持片１２２ｂ、１２２ｃを底板１２２ａに向けてかしめることにより、把持片１２２ｂ、１２２ｃと底板１２２ａとの間に圧着され、電気的な接続が形成される。
【００２３】
移行部１３０は、ボックス部１１０と圧着部１２０とを接続する。移行部１３０は、底板１１２（ボックス部１１０の底板１１２と一続きになっている）、底板１１２の左側から上方に立設した左側面１３２、底板１１２の右側から立設した右側面１３３を備える。移行部１３０の底板１１２は、さらに圧着部１２０の導体把持部１２２の底板１２２ａと一続きとなっている。また、移行部１３０の左側面１３２はボックス部１１０の左側板１１３と一続きであり、移行部１３０の右側面１３３はボックス部１１０の右側板１１４と一続きである。なお、移行部１３０の左側面１３２および右側面１３３の高さは、ボックス部１１０の左側板１１３および右側板１１４の高さよりも低くなるように形成される。これにより、移行部１３０の断面形状は、ボックス部１１０の断面形状よりも小さなもの（本実施形態においては、低背状）となる。また、ボックス部１１０の左側板１１３の、移行部１３０の左側面１３２と接続されていない後端部分、ボックス部１１０の右側板１１４の、移行部１３０の右側面１３３と接続されていない後端部分、およびボックス部１１０の上板１１１の後端部分は、後端面１１８を構成する。
【００２４】
次にハウジング２００について、図３、図４を参照して説明する。図３（Ａ）は、本実施形態のコネクタ１０のハウジング２００の斜視図であり、図３（Ｂ）は、図３（Ａ）のハウジング２００をＸ−Ｚ平面において切断した場合の断面図であり、図３（Ｃ）は、図３（Ａ）のハウジング２００をＸ−Ｚ平面において切断し、左側から見た場合の斜視図である。また、図４（Ａ）は、図３（Ｂ）のＩＶＡ部分の部分拡大図であり、図４（Ｂ）は、図３（Ｃ）のＩＶＢ部分の部分拡大図である。
【００２５】
図３（Ａ）〜図３（Ｃ）に示すように、ハウジング２００は、挿入方向Ｘに所定長さを有し、高さ方向Ｚおよび幅方向Ｙが比較的大きな直方体形状のベース２１０と、このベース２１０から挿入方向Ｘ前方に延びるコア２２０と、ベース２１０の外縁部分から挿入方向Ｘ前方に向かって、コア２２０の周囲を包囲するように延びる外殻２３０とを有する。外殻２３０は、外殻上面２３１、外殻底面２３２、外殻左側面２３３、外殻右側面２３４を含み、これらはベース２１０に直接接続されているのに対して、外殻２３０とコア２２０は、互いに直接は接続されておらず、ベース２１０を介して接続されている。また、外殻２３０とコア２２０の間には、コア２２０を包囲するように、相手方コネクタ（図示せず）のハウジングを受け入れる相手方コネクタ挿入スロット２４０がベース２１０に達するまで形成され、外殻２３０とコア２２０を隔てている。
【００２６】
ハウジング２００のベース２１０、およびベース２１０に接続しているコア２２０の挿入方向Ｘにおける後部には、コネクタ端子１００の圧着部１２０を収容するための圧着部収容路２１１が挿入方向Ｘに延在するように、後述するリテーナの挿入方向に複数形成される。この圧着部収容路２１１は、後述するボックス部収容路と同一直線状に形成される。なお、本実施形態においては、幅方向Ｙに３つ、高さ方向Ｚに２つ、合計６つの圧着部収容路２１１が形成されている。なお、これら圧着部収容路２１１の幅方向Ｙの数、高さ方向Ｚの数は、この例に限定されず、他の数であってもよい。それぞれの圧着部収容路２１１のＹ−Ｚ平面に平行な面における断面形状は、コネクタ端子１００の圧着部１２０およびここに取り付けられた導線用防水シール１９０を受容可能な形状および大きさであり、本実施形態においては導線用防水シール１９０の外径よりもわずかに小さな円形である。ベース２１０のＸ方向後面は後端面２１２をなしており、圧着部収容路２１１が後端面２１２に達する部位は、コネクタ端子１００を圧着部収容路２１１に挿入するための端子挿入開口２１３となっている。
【００２７】
コア２２０には、Ｘ方向における前部分において、圧着部収容路２１１と同一直線上に、コネクタ端子１００のボックス部１１０を収容するための複数のボックス部収容路２２１が形成される。なお、本実施形態における以下の説明においては、高さ方向Ｚ上側に位置するボックス部収容路２２１を、上側ボックス部収容路２２１Ｕ、高さ方向Ｚ下側に位置するボックス部収容路２２１を、下側ボックス部収容路２２１Ｌと呼び、両方を総称する場合は単にボックス部収容路２２１と呼ぶこととする。それぞれのボックス部収容路２２１のＹ−Ｚ平面に平行な面における断面形状は、コネクタ端子１００のボックス部１１０を収容可能な形状であり、本実施形態においては、高さ方向Ｚの大きさが幅方向Ｙの大きさよりもわずかに大きい略長方形となっている。
【００２８】
コア２２０の挿入方向Ｘの前面は前端面２２２となっている。ボックス部収容路２２１は、前端面２２２に達し、オス端子挿入開口２２３を形成する。このオス端子挿入開口２２３は、コネクタ端子１００のボックス部１１０の、上板１１１、底板１１２、左側板１１３、右側板１１４によって囲まれる内部空間の大きさに略同一の大きさまた形状である。それぞれのオス端子挿入開口２２３の上側には、工具挿入開口２２６が形成される。さらに、それぞれのボックス部収容路２２１には、ボックス部収容路２２１を形成する壁面の一つ、つまり上板２２１Ａおよび／あるいは側板２２１Ｂから当該上板２２１Ａあるいは側板２２１Ｂに沿い、前方に向かって片持ち状にボックス部収容路２２１内に斜めに突出したランス２２９が設けられる。
【００２９】
上側ボックス部収容路２２１Ｕに設けられたランス２２９は、ボックス部収容路２２１Ｕの上板２２１Ａに接続され、下側ボックス部収容路２２１Ｌに設けられたランス２２９はボックス部収容路２２１Ｌの側板２２１Ｂに接続されている。それぞれのランス２２９は、上板２２１Ａおよび／あるいは側板２２１Ｂに接続されたランス基部２９１、ランス基部２９１から挿入方向に向かってボックス部収容路２２１内に延設されたカンチレバー状部２９２、およびカンチレバー状部２９２の先端部に形成された、抜去方向に対して略垂直な当接面２９３Ａを有する端子係止部２９３と、当該端子係止部２９３の前記挿入方向に直交する幅方向Ｙの一側から当接面２９３Ａを超えて挿入方向Ｘに向けてさらに延出した冶具当て部２９４と、を備える。
【００３０】
ランス基部２９１は高さ方向Ｚに所定の厚みを有している。本実施形態では高さ方向Ｚに２つのボックス部収容路２２１が設けられているが、上側ボックス部収容路２２１Ｕ内に形成されるランス２２９のランス基部２９１の基部下面２９１Ａは、下側ボックス部収容路２２１Ｌ内に形成されるランス２２９のランス基部２９１の基部上面２９１Ｂと対向しており、それらの間に、コネクタ端子１００のボックス部１１０の底板１１２の下面１１２ａから係止突起１１６の先端までの高さＨprotrusionを受け入れることが可能である。一方、下側ボックス部収容路２２１Ｌ内に形成されるランス２２９のランス基部２９１の基部下面２９１Ａは、ボックス部収容路２２１の底面２２１Ｃと対向し、その間に、コネクタ端子１００のボックス部１１０の底板１１２の下面１１２ａから係止突起１１６の先端までの高さＨprotrusionを受け入れることが可能である。
【００３１】
ランス２２９のカンチレバー状部２９２にはランス基部２９１の基部下面２９１Ａの先端部から挿入方向Ｘに向かって斜め下方に傾斜した第１テーパ面２９２Ａと、当該第１テーパ面２９２Ａの先端部から水平方向に挿入方向Ｘに向けて延びるレバー下面２９２Ｂが設けられる。上側ボックス部収容路２２１Ｕにおいて、下側に位置するランス２２９のランス基部２９１の基部上面２９１Ｂから上側に位置するランス２２９のレバー下面２９２Ｂまでの高さ方向Ｚの高さ、および下側ボックス部収容路２２１Ｌにおいて、底面２２１Ｃから下側ボックス部収容路２２１Ｌ内にあるランス２２９のレバー下面２９２Ｂまでの高さ方向Ｚの高さは、コネクタ端子１００のボックス部１１０の高さＨboxより大きく、ボックス部１１０の底板１１２の下面１１２ａから係止突起１１６の先端までの高さＨprotrusionよりも小さくなるようにされる。
【００３２】
さらに、ランス２２９の端子係止部２９３には、上述した当接面２９３Ａに加えて、カンチレバー状部２９２のレバー下面２９２Ｂの先端部から挿入方向Ｘに向かって斜め下方に傾斜した第２テーパ面２９３Ｂと、当該第２テーパ面２９３Ｂの先端部から水平方向に挿入方向Ｘに向けて延びる係止部下面２９３Ｃが設けられる。上側ボックス部収容路２２１Ｕにおいて、下側のランス２２９のランス基部２９１の基部上面２９１Ｂから上側のランス２２９の係止部下面２９３Ｃまでの高さ方向Ｚの高さ、および、下側のボックス部収容路２２１Ｌにおいて、底面２２１Ｃから下側のランス２２９の係止部下面２９３Ｃまでの高さ方向Ｚの高さは、コネクタ端子１００のボックス部１１０の高さＨboxと略等しくなるようにされる。
【００３３】
端子係止部２９３の当接面２９３Ａは抜去方向に対して略垂直であるが、ボックス部１１０の係止突起１１６の抜去方向への移動を阻止できる角度であればいずれの角度を採用してもよい。当接面２９３Ａの高さは、ボックス部１１０の係止突起１１６の高さと略同じかそれよりも大きくされる。
【００３４】
治具当て部２９４は、上述したように、端子係止部２９３の幅方向Ｙの一側から当接面２９３Ａを超えて挿入方向Ｘに向けてさらに延出している。治具当て部２９４には、冶具当て部下面２９４Ａと、挿入方向Ｘの先端部から治具当て部下面２９４Ａの先端部に向かって斜め下方に所定角度で傾斜した第３テーパ面２９４Ｂが設けられる。治具当て部下面２９４Ａは、コネクタ端子１００のボックス部１１０の上板１１１に近接する端面であるが、上述した係止部下面２９３Ｃより、コネクタ端子１００のボックス部１１０の上板１１１から遠い位置となるように形成されている。
【００３５】
リテーナ挿入スロット２５０は、ハウジング２００の外殻２３０の外殻左側面２３３の挿入方向Ｘの略中央部分に、高さ方向Ｚに長尺に形成される。リテーナ挿入スロット２５０は、圧着部収容路２１１およびボックス部収容路２２１の延在方向に対して垂直な方向、すなわち、本実施形態においては幅方向Ｙに向かって延び、外殻左側面２３３側の相手方コネクタ挿入スロット２４０を貫通し、コア左面、コア２２０内部の圧着部収容路２１１およびボックス部収容路２２１、およびコア右面を貫通し、外殻右側面２３４側の相手方コネクタ挿入スロット２４０に達し、上述のボックス部収容路２２１と圧着部収容路２１１とを隔てるように、ボックス部収容路２２１および圧着部収容路２１１の延在方向に対して直交するように形成されている。なお、コア２２０のコア左面とコア右面はリテーナ挿入スロット２５０によって貫通されるのに対し、コア２２０のコア上面２２４とコア下面２２５はリテーナ挿入スロット２５０によって貫通されずベース２１０に達するまで一続きとなっている。なお、コア２２０において、内部の圧着部収容路２１１およびボックス部収容路２２１がリテーナ挿入スロット２５０によって貫通された部分は、後述するリテーナ３００の本体部を収容する本体受容部２２８を形成している。
【００３６】
さらに、コア上面２２４には、第１係止溝２２４ａ、第２係止溝２２４ｂが形成される。同様に、コア下面２２５には、第１係止溝２２５ａ、第２係止溝２２５ｂが形成される。第１係止溝２２４ａ、２２５ａは、本実施形態においては、リテーナ挿入スロット２５０が形成されている外殻左側面２３３に近い側、つまりコア左面に近い側に形成され、第２係止溝２２４ｂ、２２５ｂは、外殻左側面２３３から遠い側、つまりコア右面に近い側に形成される。
【００３７】
次に、図５を参照してリテーナ３００について説明する。図５（Ａ）は、本実施形態のコネクタ１０のリテーナ３００の斜視図、図５（Ｂ）は、図５（Ａ）のリテーナ３００の正面図である。リテーナ３００は、上述のリテーナ挿入スロット２５０に挿入されて、後述する仮係止位置と本係止位置とをとる。リテーナ３００は、幅方向Ｙに長尺な本体部３１０、本体部３１０の幅方向Ｙの左側端部３１１の上端から上方に延び次いで幅方向Ｙ（右方向）に向けて延びる上部アーム３２０、および本体部３１０の幅方向Ｙの左側端部３１１の下端から下方に延び、次いで幅方向Ｙ（右方向）に向けて延びる下部アーム３３０を備える。
【００３８】
上部アーム３２０はリテーナ３００がハウジング２００のリテーナ挿入スロット２５０に挿入され、本体部３１０がコア２２０の本体受容部２２８に挿入された際に、コア２２０のコア上面２２４と外殻２３０の外殻上面２３１の下面２３１ａとの間に位置する。また、このとき、下部アーム３３０は、コア２２０のコア下面２２５と外殻２３０の外殻底面２３２の上面２３２ａとの間に位置する。
【００３９】
リテーナ３００の上部アーム３２０の上部アーム下面３２１には高さ方向Ｚの下方に向けて突出する上部係止突起３２２が設けられる。また、下部アーム３３０の下部アーム上面３３１には高さ方向Ｚの上方に向けて突出する下部係止突起３３２が設けられる。上部係止突起３２２は、コア上面２２４の第１係止溝２２４ａまたは第２係止溝２２４ｂのいずれかに係止される。一方、下部係止突起３３２は、コア下面２２５の第１係止溝２２５ａまたは第２係止溝２２５ｂのいずれかに係止される。
【００４０】
本体部３１０の幅方向Ｙの長さ（幅）は、本体部３１０がリテーナ挿入スロット２５０からハウジング２００のコア２２０の本体受容部２２８に挿入され、上部アーム３２０の上部係止突起３２２がコア上面２２４の第１係止溝２２４ａに係止され、下部アーム３３０の下部係止突起３３２がコア下面２２５の第１係止溝２２５ａに係止された「仮係止位置」のときに、本体部３１０の右側端部３１２とコア右面とが略同一平面上に揃う長さとなるように形成される。
【００４１】
本体部３１０の高さ方向Ｚの高さは、コア下面２２５の上面２２５ｃからコア上面２２４の本体受容部２２８における下面２２４ｃまで間の高さよりも、コネクタ端子１００の移行部１３０の高さ分だけ小さな高さとされる。
【００４２】
本体部３１０には、リテーナ３００がリテーナ挿入スロット２５０内の予め定められた位置（仮係止位置）にある場合に、コネクタ端子１００のボックス部１１０の挿通を可能とするボックス部用開口３１３と、ボックス部用開口３１３に幅方向に連通した移行部用開口３１４がそれぞれ複数形成される。本実施形態においては、リテーナ３００の本体部３１０には、リテーナの挿入方向（幅方向Ｙ）に向かって、ボックス部用開口３１３と移行部用開口３１４が、上述したハウジング２００のベース２１０およびコア２２０に形成された、リテーナの挿入方向（幅方向Ｙ）におけるボックス部収容路２２１および圧着部収容路２１１の数と同数形成されており、それぞれのボックス部用開口３１３は隣接する他のコネクタ端子１００の移行部１３０を受け入れるための移行部用開口と連通している。
【００４３】
具体的には、コネクタ１０に組み込まれるコネクタ端子１００の、幅方向Ｙの数と同数、つまり３つのボックス部用開口３１３（３１３ａ、３１３ｂ、３１３ｃ）と３つの移行部用開口３１４（３１４ａ、３１４ｂ、３１４ｃ）が幅方向Ｙに沿って同一直線上に形成される。なお、それぞれのボックス部用開口３１３は、リテーナ３００の本体部３１０がリテーナ挿入スロット２５０からコア２２０の本体受容部２２８に挿入され、リテーナ３００が仮係止位置にあるとき、コア２２０のボックス部収容路２２１と挿入方向Ｘにおいて同一直線状となる位置に形成される。
【００４４】
一つのコネクタ端子１００を受け入れるボックス部用開口３１３および移行部用開口３１４は、幅方向Ｙに隣接する別のコネクタ端子１００を受入れるボックス部用開口３１３および移行部用開口３１４に連通している。したがって、本実施形態においては、ボックス部用開口３１３ａは、この開口が受け入れるのと同じ端子のための移行部用開口３１４ａと連通しており、移行部用開口３１４ａは、隣接する別のコネクタ端子１００を受入れるボックス部用開口３１３ｂに連通しており、ボックス部用開口３１３ｂはこれと同じコネクタ端子１００を受け入れる移行部用開口３１４ｂに連通し、この移行部用開口３１４ｂは、隣接するさらに別のコネクタ端子１００を受入れるボックス部用開口３１３ｃに連通しており、このボックス部用開口３１３ｃはこれと同じコネクタ端子１００を受け入れる移行部用開口３１４ｃに連通している。
【００４５】
それぞれのボックス部用開口３１３は、コネクタ端子１００をリテーナ３００のボックス部用開口３１３からハウジング２００のボックス部収容路２２１に挿通しようとした際に、コネクタ端子１００が適正な位置からコネクタ端子１００の挿入軸（挿入方向Ｘ）を中心として回転した状態のときに当該挿通を阻止する形状となっている。例えば、ボックス部用開口３１３の形状は、上下非対称形状のボックス部１１０の断面外形状に対応した形状（または左右非対称形状のボックスの断面外形状に対応した形状）となっている。すなわち本実施形態においては、ボックス部用開口３１３の高さは、コネクタ端子１００のボックス部１１０の高さＨboxと同じかわずかに大きい高さである略長方形であって、その底辺が平坦形状であるのに対し、上辺がその中央部に上方に向かって凹んだくぼみを有する形状となっている。
【００４６】
また、それぞれの移行部用開口３１４の、リテーナ３００の挿入方向（幅方向Ｙ）に直交する方向の大きさ（高さ方向Ｚの大きさ）が、ボックス部用開口３１３の大きさよりも小さく形成されている。具体的には、移行部用開口３１４の高さは、コネクタ端子１００のボックス部１１０の高さＨboxよりも小さく、コネクタ端子１００の移行部１３０の高さより大きな高さとされる。
【００４７】
さらに、リテーナ３００の本体部３１０の下面３１６には、上述したボックス部用開口３１３ａ〜３１３ｃと、幅方向Ｙにおいて同一位置となる位置に、ボックス部用凹部３１７ａ〜３１７ｃ（以下、まとめてボックス部用凹部３１７という）が形成される。それぞれのボックス部用凹部３１７は、上述したボックス部用開口３１３の上側部分と略同一の形状であり、ボックス部用開口３１３の上辺に対応した上辺と、その上辺がその中央部において上方に向かって凹んだくぼみを有する形状となっている。
【００４８】
ここで、リテーナ３００の本体部３１０がリテーナ挿入スロット２５０からコア２２０の本体受容部２２８に挿入され、リテーナ３００が仮係止位置にあるとき、リテーナの下部アーム３３０はコア２２０のコア下面２２５と外殻２３０の外殻底面２３２の上面２３２ａとの間に位置しているため、本体部３１０の下面３１６は、コア下面２２５の上面２２５ｃに対向した状態となる。このとき、コア下面２２５の上面２２５ｃからボックス部用凹部３１７の上辺までの高さは、上述したボックス部用開口３１３の高さと略等しく、また、コア下面２２５の上面２２５ｃからボックス部用凹部３１７のくぼみまでの高さは、上述したボックス部用開口３１３の底辺からくぼみ３１３Ｘまでの高さと略等しくなる。また、上記仮係止位置において、コア下面２２５の上面２２５ｃからリテーナ３００の本体部３１０の下面３１６までの高さは上述した移行部用開口３１４の高さと略等しくなる。
【００４９】
次に、図６を参照して、防水シール４００について説明する。なお、図６は、本実施形態のコネクタ１０の防水シール４００の斜視図である。防水シール４００は、外形がハウジング２００の外殻２３０を構成する外殻上面２３１、外殻底面２３２、外殻左側面２３３、外殻右側面２３４の内壁に接触し防水可能となる形状をしており、内部にハウジング２００のコア２２０が挿通される開口４０５を有する。防水シール４００は、弾性を有する材料で形成される。さらに、防水シール４００の外面４１０には、挿入方向Ｘと直交する方向（つまり幅方向Ｙおよび高さ方向Ｚ）に沿って複数の凸状部４１１が形成される。また、防水シール４００の内面４２０には、挿入方向Ｘと直交する方向（つまり幅方向Ｙおよび高さ方向Ｚ）に沿って複数の溝状部４２１が形成される。防水シール４００は、コネクタ１０の組立時にハウジング２００の相手方コネクタ挿入スロット２４０のスロット最奥部２４１に挿入される。
【００５０】
次に、コネクタ１０の組み立て方法について説明する。図１に示すように、まず、防水シール４００を、相手方コネクタ挿入スロット２４０に、挿入方向Ｘと反対の向き、つまり抜去方向に挿入し、防水シール４００をスロット最奥部２４１に配置する。このとき、防水シール４００の内面４２０に形成された複数の溝状部４２１により、防水シール４００はコア２２０の周囲に密着する。
【００５１】
次いで、リテーナ３００を、ハウジング２００のリテーナ挿入スロット２５０に挿入する。すると、リテーナ３００の本体部３１０はコア２２０の本体受容部２２８に進入する。また、リテーナ３００の上部アーム３２０は、ハウジング２００の外殻上面２３１の下面２３１ａとコア２２０のコア上面２２４との間に挿入される。さらに、リテーナ３００の下部アーム３３０は、ハウジング２００の外殻底面２３２の上面２３２ａとコア２２０のコア下面２２５の間に挿入される。リテーナ３００をリテーナ挿入スロット２５０に挿入し、幅方向Ｙに移動させてゆくと、リテーナ３００の上部アーム３２０の上部係止突起３２２がコア２２０のコア上面２２４に形成された第１係止溝２２４ａに係止され、リテーナ３００の下部アーム３３０の下部係止突起３３２がコア２２０のコア下面２２５に形成された第１係止溝２２５ａに係止される。このとき、リテーナ３００は仮係止位置にある。
【００５２】
この仮係止位置のとき、リテーナ３００の本体部３１０に形成されたボックス部用開口３１３およびボックス部用凹部３１７は、ハウジング２００の圧着部収容路２１１およびボックス部収容路２２１と挿入方向Ｘにおいて一直線上に位置が揃う。
【００５３】
この仮係止位置のときに、圧着部１２０に導線１８０を圧着接続したコネクタ端子１００を、ハウジング２００のベース２１０の端子挿入開口２１３から圧着部収容路２１１に挿入する。圧着部収容路２１１の形状がコネクタ端子１００のボックス部１１０の外形よりも大きい円形であるため、コネクタ端子１００のボックス部１１０は、妨げられることなく圧着部収容路２１１を通過し、リテーナ３００の本体部３１０のボックス部用開口３１３またはボックス部用凹部３１７に達し、リテーナ３００のボックス部用開口３１３は、ボックス部１１０の挿入方向Ｘへの進入を許容する。コネクタ端子１００をさらに挿入方向Ｘに移動させると、ボックス部１１０は、コア２２０のボックス部収容路２２１に挿入される。つまり、コネクタ端子１００は、圧着部収容路２１１からボックス部用開口３１３またはボックス部用凹部３１７を経てボックス部収容路２２１に挿入される。
【００５４】
ここで、コネクタ端子１００がボックス部収容路２２１に部分的に挿入された状態を、図７を参照して説明する。図７（Ａ）は、コネクタ端子１００のボックス部１１０がボックス部収容路２２１に部分的に挿入されたときの図３（Ｃ）に対応する断面斜視図、図７（Ｂ）は、図７（Ａ）のＶＩＩＢ部分の部分拡大図である。
【００５５】
図７（Ａ）、図７（Ｂ）において、上側に位置するコネクタ端子１００のボックス部１１０は、上側ボックス部収容路２２１Ｕに形成されたランス２２９のランス基部２９１の基部下面２９１Ａと、下側ボックス部収容路２２１Ｌに形成されたランス２２９のランス基部２９１の基部上面２９１Ｂの間に挿入されている。このとき、ボックス部１１０の上板１１１と基部下面２９１Ａの間には係止突起１１６の高さよりわずかに大きい空間があり、ボックス部１１０は挿入方向Ｘに移動可能である。
【００５６】
コネクタ端子１００の挿入方向Ｘへの移動に伴ってボックス部１１０が挿入方向Ｘにさらに移動すると、ボックス部１１０の係止突起１１６が、ランス２２９のカンチレバー状部２９２の第１テーパ面２９２Ａに摺接しつつランス２２９のカンチレバー状部２９２を高さ方向Ｚ上方に押し上げる。このとき、ランス２２９のカンチレバー状部２９２はランス基部２９１を支点として上方に旋回する。ボックス部１１０をさらに挿入方向Ｘへ移動させると、ボックス部１１０の係止突起１１６はカンチレバー状部２９２のレバー下面２９２Ｂ、端子係止部２９３の第２テーパ面２９３Ｂ、係止部下面２９３Ｃの順に摺接してゆき、その間にランス２２９は全体としてランス基部２９１を支点として上方に持ち上げられた状態を維持する。
【００５７】
次いで、ボックス部１１０の係止突起１１６が端子係止部２９３の係止部下面２９３Ｃを摺接しながら挿入方向Ｘに移動し、端子係止部２９３の当接面２９３Ａまで到達すると、係止突起１１６と係止部下面２９３Ｃとの接触がなくなり、図８に示すように、ランス２２９はランス基部２９１を支点として下方に旋回し、当初の形状に復帰する。なお、図８（Ａ）は、コネクタ端子１００のボックス部１１０がボックス部収容路２２１に完全に挿入されたときの図３（Ｃ）に対応する断面斜視図、図８（Ｂ）は、図８（Ａ）のＶＩＩＩＢ部分の部分拡大図である。
【００５８】
図８（Ａ）、図８（Ｂ）に示すように、コネクタ端子１００のボックス部１１０がボックス部収容路２２１に完全に挿入された際に、コネクタ端子１００のボックス部１１０のコンタクト挿入孔１１５は、コア２２０のオス端子挿入開口２２３の、挿入方向Ｘのすぐ後方側に位置する。さらに、係止突起１１６は、挿入方向Ｘにおける後面側が端子係止部２９３の当接面２９３Ａと係止されており、ボックス部１１０の抜去方向への移動が阻止される。また、ランス２２９の端子係止部２９３は、その下側の一部がボックス部１１０の上板１１１の上面開口１１９に挿入され、結果としてボックス部１１０の抜去方向への移動が確実に阻止される。
【００５９】
また、このとき、冶具当て部２９４は、係止突起１１６の幅方向Ｙの一側において係止突起１１６を超えて挿入方向Ｘに延在している。冶具当て部２９４の冶具当て部下面２９４Ａ下には所定の間隙Ｓが形成される。
【００６０】
コネクタ端子１００のボックス部１１０が、図８（Ａ）、図８（Ｂ）のように、ボックス部収容路２２１に完全に挿入されると、コネクタ端子１００の移行部１３０がリテーナ３００のボックス部用開口３１３の下部およびボックス部用凹部３１７の下方部分に位置する。これにより、リテーナ３００を幅方向Ｙにさらに移動させることが可能となる。一方、ボックス部１１０がボックス部収容路２２１に完全に収容されていない場合、ボックス部１１０の左側板１１３がボックス部用開口３１３およびボックス部用凹部３１７内に存在しており、このときにリテーナ３００を幅方向Ｙに移動させようとしても、ボックス部１１０の左側板１１３により幅方向Ｙへの移動が阻まれる。これにより、コネクタ端子１００の半挿入の検知、つまり、コネクタ端子１００が完全にボックス部収容路２２１に収容されていないことを検知することが可能となる。
【００６１】
上述のように、コネクタ端子１００のボックス部１１０をボックス部収容路２２１に完全に挿入すると、リテーナ３００の幅方向Ｙへの移動が可能となる。リテーナ３００を幅方向Ｙへさらに移動させると、リテーナ３００の上部アーム３２０の上部係止突起３２２がコア２２０のコア上面２２４に形成された第１係止溝２２４ａから外れて幅方向Ｙへ移動し、第２係止溝２２４ｂに係止される。同様に、リテーナ３００の下部アーム３３０の下部係止突起３３２がコア２２０のコア下面２２５に形成された第１係止溝２２５ａから外れて幅方向Ｙへ移動し、第２係止溝２２５ｂに係止される。このときリテーナ３００は、本係止位置となる。
【００６２】
このとき、移行部用開口３１４の高さは、コネクタ端子１００のボックス部１１０の高さＨboxよりも小さいため、リテーナ３００の本体部３１０の前面３１９がコネクタ端子１００のボックス部１１０の後端面１１８と接触する。また、コア下面２２５の上面２２５ｃからリテーナ３００の、ボックス部用凹部３１７に隣接した本体部３１０の下面３１６までの高さは、コネクタ端子１００のボックス部１１０の高さＨboxよりも小さいため、リテーナ３００の本体部３１０の前面３１９がコネクタ端子１００のボックス部１１０の後端面１１８と接触する。すなわち、リテーナ３００が本係止位置にあるとき、コネクタ端子１００の移行部１３０がリテーナ３００の移行部用開口３１４に収容されているため、この状態でコネクタ端子１００を抜去方向に引き抜こうとしても、リテーナ３００の本体部３１０の前面３１９にボックス部１１０の後端面１１８が当接することにより、ボックス部１１０の後方への移動が阻止され、当該ボックス部１１０を抜去することができない状態となる。これによりコネクタ端子１００のハウジング２００からの脱落が防止される。
【００６３】
次に、コネクタ端子１００をハウジング２００から取り外す方法について説明する。まず、リテーナ３００を本係止位置から仮係止位置に移動する。すると、リテーナ３００の本体部３１０のボックス部用開口３１３およびボックス部用凹部３１７が、ハウジング２００の圧着部収容路２１１およびボックス部収容路２２１と挿入方向Ｘにおいて一直線上に位置が揃う。しかしながら、この時点では、まだコネクタ端子１００のボックス部１１０の係止突起１１６がランス２２９の端子係止部２９３の当接面２９３Ａに係止されているため、コネクタ端子１００を抜去方向に引き抜くことはできない。
【００６４】
そこで、図９、図１０に示すように、冶具または工具を用いてランス２２９を上方に持ち上げ、係止突起１１６と端子係止部２９３の当接面２９３Ａとの係止を解除する。なお、図９（Ａ）は、専用冶具５００を間隙Ｓに挿入した場合の図８（Ａ）に対応する断面斜視図、図９（Ｂ）は、図９（Ａ）のＩＸＢ部分の拡大斜視図であり、図１０（Ａ）は、一般的な工具６００を間隙Ｓに挿入した状態の図８（Ａ）に対応する断面斜視図、図１０（Ｂ）は図１０（Ａ）のＸＢ部分の拡大斜視図である。
【００６５】
図９（Ａ）に示すように、専用冶具５００は、長尺な握り部５１０、握り部の先端から突出した中間部５２０、中間部５２０の先端から突出した作動部５３０を備える。中間部５２０は断面形状が正方形または長方形の矩形状であり、高さあるいは幅のすくなくとも一方が上述したハウジング２００の工具挿入開口２２６の高さまたは幅よりも大きくされ、この中間部５２０が工具挿入開口２２６に挿入できない大きさに形成される。作動部５３０は、高さおよび幅が上述の工具挿入開口２２６に挿入可能な大きさに形成される。作動部５３０の長さは、工具挿入開口２２６からランス２２９の冶具当て部２９４までの長さよりも長くされる。作動部５３０の先端には、作動部５３０の底面５３１に対して鋭角になるように傾斜した冶具テーパ面５３２が形成される。
【００６６】
この専用冶具５００の作動部５３０をハウジング２００の工具挿入開口２２６に挿入し、抜去方向に移動させる。すると、作動部５３０の冶具テーパ面５３２がランス２２９の冶具当て部２９４の第３テーパ面２９４Ｂに当接する。この状態で専用冶具５００をさらに抜去方向に移動させると、冶具テーパ面５３２の抜去方向への移動により、冶具当て部２９４の第３テーパ面２９４Ｂは冶具テーパ面５３２に沿って上方に押し動かされ、結果としてランス２２９はランス基部２９１を支点として高さ方向Ｚにおける上方に旋回する。
【００６７】
そして、係止部下面２９３Ｃが、コネクタ端子１００のボックス部１１０の上面開口１１９から解放され、さらに、高さ方向Ｚにおいて係止突起１１６よりも相対的に高い位置まで上方に持ち上げられる。これにより、端子係止部２９３の当接面２９３Ａのコネクタ端子１００のボックス部１１０の係止突起１１６に対する係止が解除され、コネクタ端子１００を抜去方向に引き抜くことが可能な状態となる。
【００６８】
なお、本発明のコネクタ１０は、専用冶具５００を使用せずとも、図１０（Ａ）、図１０（Ｂ）に示すように、マイナスドライバーなどの一般的な工具６００を使用しても、ランス２２９の端子係止部２９３の当接面２９３Ａの、コネクタ端子１００の係止突起１１６に対する係止を解除することができる。工具６００は、握り部６１０、握り部６１０の先端から突出した軸部６２０、軸部６２０の先端に形成された、肉厚の薄い平板状の刃先６３０を備える。
【００６９】
図９（Ａ）、図９（Ｂ）の専用冶具の場合と同様に、工具６００の刃先６３０をハウジング２００の工具挿入開口２２６からボックス部収容路２２１に挿入する。その後、刃先６３０を抜去方向に移動させ、コネクタ端子１００のボックス部１１０の上板１１１とランス２２９の冶具当て部２９４の冶具当て部下面２９４Ａとの間の間隙Ｓに刃先６３０を挿入し、刃先６３０を上方に移動させる。すると、ランス２２９の冶具当て部２９４が上方に持ち上げられ、ランス２２９全体がランス基部２９１を支点として高さ方向Ｚにおける上方に旋回する。結果として、係止部下面２９３Ｃが、コネクタ端子１００のボックス部１１０の上面開口１１９から解放され、さらに、係止突起１１６よりも高さ方向Ｚにおいて相対的に高い位置まで上方に持ち上げられる。これにより、端子係止部２９３の当接面２９３Ａのコネクタ端子１００のボックス部１１０の係止突起１１６に対する係止が解除され、コネクタ端子１００を抜去方向に引き抜くことが可能な状態となる。
【００７０】
上述のコネクタ１０によれば、ランス２２９の冶具当て部２９４が、コネクタ端子１００のボックス部１１０に形成された係止突起１１６を係止するための端子係止部２９３よりも、工具や冶具の挿入方向からみて手前側にあるので、冶具当て部２９４に工具や冶具を到達させることが容易になり、操作性が向上する。
【００７１】
なお、上記の実施形態においては、ハウジング２００上側のボックス部収容路２２１Ｕと下側ボックス部収容路２２１Ｌとの間を仕切る壁面がなく、側板２２１Ｂから下側ボックス部収容路２２１Ｌに突出するランス２２９のみが上下のボックス部収容路２２１の間に存在する例について説明した。しかしながら、本発明においては、上記の構成に限定されず、図１１に示すように、上側ボックス部収容路２２１Ｕと下側ボックス部収容路２２１Ｌとの間において、側板２２１Ｂから幅方向Ｙに向けて突出した保護壁２２１Ｐが存在するような構成としてもよい。なお、図１１は、上側ボックス部収容路２２１Ｕと下側ボックス部収容路２２１Ｌとの間に保護壁２２１Ｐが設けられた場合の、ハウジング２００の拡大断面斜視図である。
【００７２】
保護壁２２１Ｐは、上側ボックス収容路Ｕの、オス端子挿入開口２２３の直下から、下側ボックス収容路Ｌ内に設けられたランス２２９のランス基部２９１にかけて上側ボックス部収容路２２１Ｕと下側ボックス部収容路２２１Ｌとを部分的に隔てるように形成されている。なお、保護壁２２１Ｐは、上側ボックス部収容路２２１Ｕと下側ボックス部収容路２２１Ｌとを完全に隔てるように側板２２１Ｂ間を完全に接続してもよいが、本実施形態ではランス２２９の冶具当て部２９４が形成される側の側板２２１Ｂから所定幅のみ突出する構成となっている。
【００７３】
図１１に示す構成により、図１０（Ａ）、図１０（Ｂ）に示すような工具６００が工具挿入開口２２６からランス２２９の冶具当て部２９４の冶具当て部下面２９４Ａとボックス部１１０の上板１１１の間に挿入され、ランス２２９が上方に押し上げられた際に、冶具当て部２９４の上面が当該保護壁２２１Ｐの下面に接触し、ランス２２９が過度に上方に撓んで、応力集中やランス２２９の破損を防ぐことができる。
【符号の説明】
【００７４】
１０    コネクタ
１００    コネクタ端子
１１０    ボックス部
１１１    上板
１１２    底板
１１２ａ  下面
１１２ｂ  上面
１１３    左側板
１１４    右側板
１１５    コンタクト挿入孔
１１６    係止突起
１１７    接触片
１１８    後端面
１１９    上面開口
１２０    圧着部
１２１    被覆把持部
１２２    導体把持部
１２２ａ  底板
１２２ｂ  把持片
１３０    移行部
１３２    左側面
１３３    右側面
１８０    導線
１９０    導線用防水シール
２００    ハウジング
２１０    ベース
２１１    圧着部収容路
２１２    後端面
２１３    端子挿入開口
２２０    コア
２２１    ボックス部収容路
２２１Ａ  上板
２２１Ｂ  側板
２２１Ｃ  底面
２２１Ｌ  下側ボックス部収容路
２２１Ｐ  保護壁
２２１Ｕ  上側ボックス部収容路
２２２    前端面
２２３    オス端子挿入開口
２２４    コア上面
２２４ａ  係止溝
２２４ｂ  係止溝
２２４ｃ  下面
２２５    コア下面
２２５ａ  係止溝
２２５ｂ  係止溝
２２５ｃ  上面
２２６    工具挿入開口
２２８    本体受容部
２２９    ランス
２３０    外殻
２３１    外殻上面
２３１ａ  下面
２３２    外殻底面
２３２ａ  上面
２３３    外殻左側面
２３４    外殻右側面
２４０    相手方コネクタ挿入スロット
２４１    スロット最奥部
２５０    リテーナ挿入スロット
２９１    ランス基部
２９１Ａ  基部下面
２９１Ｂ  基部上面
２９２    カンチレバー状部
２９２Ａ  テーパ面
２９２Ｂ  レバー下面
２９３    端子係止部
２９３Ａ  当接面
２９３Ｂ  テーパ面
２９３Ｃ  係止部下面
２９４    冶具当て部
２９４Ａ  冶具当て部下面
２９４Ｂ  テーパ面
３００    リテーナ
３１０    本体部
３１１    左側端部
３１２    右側端部
３１３    ボックス部用開口
３１３ａ、３１３ｂ、３１３ｃ   ボックス部用開口
３１４    移行部用開口
３１４ａ、３１４ｂ、３１４ｃ   移行部用開口
３１６    下面
３１７    ボックス部用凹部
３１９    前面
３２０    上部アーム
３２１    上部アーム下面
３２２    上部係止突起
３３０    下部アーム
３３１    下部アーム上面
３３２    下部係止突起
４００    防水シール
４０５    開口
４１０    外面
４１１    凸状部
４２０    内面
４２１    溝状部
５００    専用冶具
５１０    握り部
５２０    中間部
５３０    作動部
５３１    底面
５３２    冶具テーパ面
６００    工具
６１０    握り部
６２０    軸部
６３０    刃先
【図１】
2019220288.tif 000003
【図２】
2019220288.tif 000004
【図３】
2019220288.tif 000005
【図４】
2019220288.tif 000006
【図５】
2019220288.tif 000007
【図６】
2019220288.tif 000008
【図７】
2019220288.tif 000009
【図８】
2019220288.tif 000010
【図９】
2019220288.tif 000011
【図１０】
2019220288.tif 000012
【図１１】
2019220288.tif 000013